(57)【要約】【課題】投与前においては薬剤を不用意に漏出させることなく、投与後においてはバッグ本体内に薬剤が残存しないように構成した医療用バッグを提供する。【解決手段】熱溶着可能な可撓性素材からなるシート材１，２の周縁部を熱溶着して形成されるバッグ本体６の内部に、易開通仕切り部８１で仕切られた複数の薬剤収容室３１，３２が上下方向に配列され、かつ、下方の前記薬剤収容室３２と易開通仕切り部８２で仕切られて前記バッグ本体６の下部に配設される薬剤排出口５に隣接するように空所９が設けられている医療用バッグにおいて、易開通仕切り部８１を破断した後、バッグ本体６を上部から下部に向けて巻き込んで下方の薬剤収容室３２と空所９とを仕切っている易開通仕切り部８２に対して圧力を作用させることで、当該易開通仕切り部８２が全開状態に破断され得るように構成する。【選択図】  図１
2006043405.tif 000002
【特許請求の範囲】
【請求項１】
熱溶着可能な可撓性素材からなるシート材（１）（２）の周縁部を熱溶着して形成されるバッグ本体（６）の内部に、易開通仕切り部（８１）で仕切られた複数の薬剤収容室（３１）（３２）が上下方向に配列され、かつ、下方の前記薬剤収容室（３２）と易開通仕切り部（８２）で仕切られて前記バッグ本体（６）の下部に配設される薬剤排出口（５）に隣接するように空所（９）が設けられている医療用バッグにおいて、
前記空所（９）の容積を、前記薬剤収容室（３１）（３２）に収容されている薬剤の体積よりも小さく設定し、前記易開通仕切り部（８１）を破断した後、前記バッグ本体（６）を上部から下部に向けて巻き込んで前記下方の薬剤収容室（３２）と前記空所（９）を仕切っている前記易開通仕切り部（８２）に対して圧力を作用させることで、当該易開通仕切り部（８２）が全開状態に破断されるようにしたことを特徴とする医療用バッグ。
【請求項２】
薬剤が収容された前記下方の薬剤収容室（３２）又は薬剤が収容されて連通状態にある上下の前記薬剤収容室（３１）（３２）における前記シート材（１）（２）の何れか一方の面の１〜２５％の面積に相当する中央付近に対して押圧力を作用させた場合には、前記下方の薬剤収容室（３２）と前記空所（９）を仕切っている前記易開通仕切り部（８２）は破断されることなく前記シート材（１）（２）の内壁同士が接触するように構成したことを特徴とする請求項１に記載の医療用バッグ。
【請求項３】
前記空所（９）の容積を、前記上下の薬剤収容室（３１）（３２）に収容される薬剤の体積の４０％以下に設定してなることを特徴とする請求項１又は２に記載の医療用バッグ。
【請求項４】
前記空所（９）の容積を、前記上下の薬剤収容室（３１）（３２）に収容される薬剤の体積の３０％以下に設定してなることを特徴とする請求項１又は２に記載の医療用バッグ。
【請求項５】
前記空所（９）の容積を、前記上下の薬剤収容室（３１）（３２）に収容される薬剤の体積の２０％以下に設定してなることを特徴とする請求項１又は２に記載の医療用バッグ。
【請求項６】
前記空所（９）の両側部には、前記空所（９）の容積を縮小するために、前記薬剤排出口（５）に向けて先窄まり状となるように絞り壁（１０）（１０）が熱溶着により形成されていることを特徴とする請求項１乃至５の何れかに記載の医療用バッグ。
【請求項７】
前記バッグ本体（６）の上半部は、左右に斜辺（７１）（７１）を有する略三角形状に形成されることを特徴とする請求項１乃至６の何れかに記載の医療用バッグ。
【請求項８】
前記薬剤収容室（３１）（３２）への薬剤の充填を行うための未溶着部（１１）（１２）を、前記薬剤収容室（３１）（３２）の何れか一方の斜辺（７１）（７２）の一部に設けたことを特徴とする請求項１乃至７の何れかに記載の医療用バッグ。
【請求項９】
前記上方の薬剤収容室（３１）には希釈液が収容される一方、前記下方の薬剤収容室（３２）には抗腫瘍剤が収容されることを特徴とする請求項１乃至８の何れかに記載の医療用バッグ。
【発明の詳細な説明】
【技術分野】
【０００１】
本発明は、輸液バッグや血液バッグ等として医療用に広く用いられる医療用バッグに関する。
【背景技術】
【０００２】
医療用バッグは、一般に、その外形が矩形状等に形成され、バッグ本体上部中央に設けた吊孔を吊持部材に挿通させて、下部に設けた薬剤排出口から薬剤を取り出すようにして使用され、輸液バッグや血液バッグ等として医療現場で広く用いられている（例えば、特許文献１，２参照）。また、特に、易開通仕切り部（弱シール部）で仕切られた複数の収納室を有する複室バッグも提案されている（例えば、特許文献３）。
【０００３】
更に、該複室バッグは、原液と希釈液を分別収容するのに好適であり、例えば、抗生物質溶解キットとして医療現場で広く用いられている「オーツカＣＥＺ注ＭＣ（大塚製薬）」や「パンスポリン静注用バッグ（武田薬品工業）」等がある。このような複室バッグ等の医療用バッグは、上記以外の薬剤にも広く適用されている。
【特許文献１】特開平６−１５４２９２号公報
【特許文献２】特開平７−２６５３７８号公報
【特許文献３】特開平１１−７９２５８号公報
【発明の開示】
【発明が解決しようとする課題】
【０００４】
ところで、抗腫瘍剤等では、従来、人体への投与に際して、例えば、注射器で原液を吸い上げて希釈液に注入し所定の濃度に希釈するようにしていた。このような薬剤を医療用バッグに収納すれば、無菌的な状態で薬剤を取り扱うことができる上に、直接薬剤に触れることがなくなり安全性も向上する。
【０００５】
その場合、例えば、原液と希釈液を分別収容する２つの収容室の他に、下部に設けた薬剤排出口と原液の収容室の間に易開通仕切り部で仕切られた空所を設けた医療用バッグを使用すれば、原液のみが間違って投与されたり、投与前に、薬剤排出口から原液が不用意に排出されるようなトラブルの発生を防止することができる。
【０００６】
このような空所を設けた複室バッグから薬剤を取り出すには、まず、上方の希釈液収容室を強く押圧して易開通仕切り部を破断することによって原液と希釈液を混合する。次いで、バッグ本体の上部から下部に向けてバッグ本体を巻き込むようにして空所を仕切る易開通仕切り部に対して混合液を介して圧力をかけることで該易開通仕切り部を破断し、該空所に混合液を導入する。次に、薬剤排出口から薬剤（混合液）を排出（投与）することができる。
【０００７】
しかしながら、上述の空所が、比較的に大きな容積に形成されている場合には、空所を仕切る易開通仕切り部に対して圧力をかけた時に、易開通仕切り部の一部のみが破断された状態で空所は薬剤で満たされてしまう。即ち、空所を仕切る易開通仕切り部は全開しないで、特に、両端部分に破断されない部分が残ってしまうことがある。すると、投与後に、易開通仕切り部の破断されなかった部分の上部に薬剤が残留する。
【０００８】
薬剤が、患者の体表面積を基準として必要とされる投与量が予め算出されてバッグ本体内に充填されている抗腫瘍剤等の場合には、バッグ本体内に薬剤が残存すると薬剤の投与量が不足することになる。
【０００９】
本発明は、このような実情に鑑みてなされ、投与前においては薬剤を不用意に漏出させることなく、投与後においてはバッグ本体内に薬剤が残存しないように構成した医療用バッグを提供することを目的とする。
【００１０】
ところで、上述した従来例等の医療用バッグは、前述したように、全てその外形が矩形状をなし、外観が比較的によく似ているため、今後さらに様々な薬剤への適用が拡大された場合、ラベル等の表示のみによる識別では、薬剤を誤って選択してしまうようなトラブルが発生することが懸念される。特に、取扱に注意を要する抗腫瘍剤等の薬剤が収納されている医療用バッグでは、このようなトラブルを発生させてはならない。
【００１１】
また、収容する薬剤の量が増えて医療用バッグのサイズが大きくなると、バッグ本体上部中央に設けた吊孔だけでは、重量を安定に支えられないことがあり、そのような場合には、吊孔の両側（両肩部）に補助の小孔を設けて、３点で支持するようにしていた。しかし、このような方法では、３つの吊持部材を必要とする上に、その吊持状態が安定性に欠ける難点があった。
【００１２】
そこで、本発明は、特定の薬剤を収納する場合等にも一見して外観上他と明瞭に識別できると共に、サイズが大きくなっても安定な吊持状態が得られる医療用バッグを提供することをも目的とする。
【課題を解決するための手段】
【００１３】
（１）本発明の医療用バッグは、熱溶着可能な可撓性素材からなるシート材１，２の周縁部を熱溶着して形成されるバッグ本体６の内部に、易開通仕切り部８１で仕切られた複数の薬剤収容室３１，３２が上下方向に配列され、かつ、下方の前記薬剤収容室３２と易開通仕切り部８２で仕切られて前記バッグ本体６の下部に配設される薬剤排出口５に隣接するように空所９が設けられている医療用バッグにおいて、
前記空所９の容積を、前記薬剤収容室３１，３２に収容されている薬剤の体積よりも小さく設定し、前記易開通仕切り部８１を破断した後、前記バッグ本体６を上部から下部に向けて巻き込んで前記下方の薬剤収容室３２と前記空所９を仕切っている前記易開通仕切り部８２に対して圧力を作用させることで、当該易開通仕切り部８２が全開状態に破断されるようにしたことを特徴とする。
【００１４】
このような構成によれば、空所９の容積を、薬剤収容室３１，３２に収容されている薬剤の体積よりも小さく設定しているので、バッグ本体６を上部から下部に向けて巻き込んで下方の薬剤収容室３２と空所９を仕切っている易開通仕切り部８２に対して圧力を作用させることで、易開通仕切り部８２の一部が破断し、空所９が薬剤で満たされても、薬剤面は、易開通仕切り部８２よりも上方に存在することになるので、さらに巻き込み続けると、易開通仕切り部８２に大きな圧力を作用させることができるため、易開通仕切り部８２を全開状態に破断することができる。そのため、バッグ本体６を吊した状態で薬剤を投与した後に、バッグ本体内に薬剤を残さないようにすることができる。従って、薬剤の投与量が不足するようなこともなくなる。なお、本発明でいう薬剤とは、例えば、原液及び／又は希釈液を指すが、さらに、粉体、固形剤等の薬剤（例えば、ＩＦＮ固形剤等）をも含むものとする。
【００１５】
（２）薬剤が収容された前記下方の薬剤収容室３２又は薬剤が収容されて連通状態にある上下の前記薬剤収容室３１，３２における前記シート材１，２の何れか一方の面の１〜２５％の面積に相当する中央付近に対して押圧力を作用させた場合には、前記下方の薬剤収容室３２と前記空所９を仕切っている前記易開通仕切り部８２は破断されることなく前記シート材１，２の内壁同士が接触するように構成してもよい。
【００１６】
このようにすれば、薬剤の投与前に、たとえ、薬剤収容室３１，３２におけるシート材１，２の何れか一方の面の１〜２５％の面積に対して不用意に押圧力を作用させるようなことがあっても、下方の薬剤収容室３２と空所９を仕切っている易開通仕切り部８２は破断されないため、投与前に、薬剤が漏出してしまうようなトラブルの発生をなくすことができる。
【００１７】
（３）前記空所９の容積を、前記上下の薬剤収容室３１，３２に収容される薬剤の体積の４０％以下に設定してもよい。このように、空所９の容積を薬剤の体積の４０％以下に設定すれば、バッグ本体６を巻き込んで空所９を仕切る易開通仕切り部８２に対して圧力をかけると、易開通仕切り部８２に対して大きな圧力を作用させることができるため、易開通仕切り部８２を全開状態により確実に破断することができる。
【００１８】
（４）前記空所９の容積を、前記上下の薬剤収容室３１，３２に収容される薬剤の体積の３０％以下に設定してもよい。このようにすれば、易開通仕切り部８２に対してさらに大きな圧力を作用させることができるため、易開通仕切り部８２を全開状態により一層確実に破断することができる。
【００１９】
（５）前記空所９の容積を、前記上下の薬剤収容室３１，３２に収容される薬剤の体積の２０％以下に設定してもよい。このようにすれば、易開通仕切り部８２に対してさらにより一層大きな圧力を作用させることができるため、易開通仕切り部８２を全開状態にさらにより一層確実に破断することができる。
【００２０】
（６）前記空所９の両側部には、前記空所９の容積を縮小するために、前記薬剤排出口５に向けて先窄まり状となるように絞り壁１０，１０が熱溶着により形成されてもよい。このようにすれば、製作過程で、何ら別部材を要することなく、熱溶着により両絞り壁１０，１０を容易に形成することができ、バッグ本体６の外形をそのままにして、空所９のスペースを効果的に縮小することができる。
【００２１】
（７）前記バッグ本体６の上半部は、左右に斜辺７１，７１を有する略三角形状に形成されてもよい。このようにすれば、空所９を仕切る易開通仕切り部８２に対して圧力をかける際に、バッグ本体６を上部から巻き込みやすくなり、易開通仕切り部８２を破断する際の作業性が向上する。また、形状識別性が顕著となり、特定の薬剤（例えば、抗腫瘍剤等）を収容する場合等にも、一見して外観上他と明瞭に識別することができる。さらに、その斜辺７１，７１にて、両シート材１，２の周縁部が熱溶着されるため、バッグ本体６の上部に吊下部４を設ければ、該吊下部４に作用する吊り荷重が、熱溶着により剛性が向上されている左右の斜辺７１，７２に均等に分散されるため、強度的に安定な吊持状態が得られる。なお、バッグ本体６の上半部の左右に斜辺７１，７１は長さが異なっていてもよく、また、湾曲状や波状等であってもよい。
【００２２】
（８）前記薬剤収容室３１，３２への薬剤の充填を行うための未溶着部１１，１２を、前記薬剤収容室３１，３２の何れか一方の斜辺７１，７２の一部に設けてもよい。このようにすれば、薬剤の充填工程にて、複数の薬剤（例えば、希釈液と原液）を同時に充填することができる。また、充填後には、双方の未溶着部１１，１２を同時に熱溶着して閉じることができる。
【００２３】
（９）前記上方の薬剤収容室３１には希釈液が収容される一方、前記下方の薬剤収容室３２には抗腫瘍剤が収容されてもよい。このようにすれば、投与時に、無菌状態で迅速に抗腫瘍剤を希釈することができる。また、人手に触れることがなく安全性も向上する。
【発明の効果】
【００２４】
本発明の医療用バッグは、空所の容積を、前記薬剤収容室に収容されている薬剤の体積よりも小さく設定しているので、下方の薬剤収容室と空所とを仕切っている易開通仕切り部を全開状態に破断可能であるから、バッグ本体を吊るした状態で薬剤を投与した後に、バッグ本体内に薬剤を残さないようにすることができるため、薬剤の投与量が不足するようなことがなくなる。
【発明を実施するための最良の形態】
【００２５】
以下に、本発明の最良の実施の形態に係る医療用バッグについて図面を参照しつつ詳細に説明する。図１は医療用バッグの正面図、図２はその断面図である。これらの図に示すように、この医療用バッグは、熱溶着可能な可撓性樹脂材等からなる２枚のシート材１，２からなり、その周縁部（図２にハッチングで示す）を熱溶着してバッグ本体６が形成され、その上部には吊下部４が形成される一方、下部には薬剤排出口５が形成され、バッグ本体６の内部には、易開通仕切り部８１で仕切られた２つの薬剤収容室３１，３２と、下方の薬剤収容室３２と易開通仕切り部８２で仕切られて薬剤排出口５に隣接する空所９と、が形成されている。
【００２６】
上述の空所９は、左右の二等辺部７２，７２の内側に形成される絞り壁１０，１０によって薬剤排出口５に向けて先窄まり状に形成されている。そして、バッグ本体６の上半部の外形が、吊下部４を頂点として左右に二等辺部（本発明の斜辺）７１，７１を有する略二等辺三角形状に形成される。また、バッグ本体６の下半部の外形は、左右の二等辺部７２，７２が、薬剤排出口５に向けて先窄まり状に形成される。また、片方の二等辺部７１，７２には、薬剤充填用の未溶着部１１，１２がそれぞれ形成されている。
【００２７】
そして、薬剤を収容した薬剤収容室３１，３２における前記シート材１，２の何れか一方の中央付近を押圧したときに、当該薬剤収容室３１，３２における前記シート材１，２の何れか一方の面の１〜２５％の面積に対して押圧力を作用させた場合には、薬剤収容室３１，３２を仕切っている易開通仕切り部８１，８２は破断されることなくシート材１，２の内壁同士が接触するように構成している。
【００２８】
更に、易開通仕切り部８１を破断した後、バッグ本体６を上部から下部に向けて巻き込んで下方の薬剤収容室３２と空所９とを仕切っている易開通仕切り部８２に対して圧力を作用させることで、易開通仕切り部８２が全開状態に破断され得るように構成している。そのためには、薬剤収容室３１，３２に収容されている薬剤の体積を、前記空所９の容積よりも大となるように設定するのが好ましい。さらに好ましくは、空所９の容積を、薬剤収容室３１，３２に収容されている薬剤の合計体積の４０％〜２０以下に設定すればよい。
【００２９】
このような医療用バッグは、例えば、以下のような手順で製作することができる。
まず、型取りした２枚のシート材１，２を重ね合わせて、薬剤排出口５が設けられる部分と、未溶着部１１，１２とを除き、その周縁部（左右の二等辺部７１，７２）同士を熱溶着する。このとき、吊下部４の直下の仕切り部４ｂと、バッグ本体６の下半部の左右の二等辺部７２，７２の内側に形成される絞り壁１０，１０も同時に熱溶着する。次いで、これより低い温度で熱溶着することにより弱シール部となる易開通仕切り部８１，８２を形成する。
【００３０】
次に、薬剤排出口５となる口部材をバッグ本体６下部の両シート材１，２間に挿入し、その周囲を溶着１３してシールし、かつ、吊下部４の中央部を打ち抜いて吊孔４ａを形成する。そして、片方の二等辺部７１，７２に設けた未溶着部１１，１２から薬剤収容室３１，３２にそれぞれ薬剤（希釈液及び原液）を充填した後、その未溶着部１１，１２を溶着してシールすれば、医療用バッグの製作が完了する。なお、本発明は、製作方法について特定するものではなく、その他の方法で製作されてもよい。
【００３１】
以上のような医療用バッグは、例えば、上方の薬剤収容室３１には希釈液を収容し、下方の薬剤収容室３２には、取扱に注意を要する（毒性のある）薬剤、例えば、抗腫瘍剤等の原液を収容することができる。また、その薬剤収容室３２には、原液に代えて、投与時に溶解させて用いる粉体、固形剤等の薬剤（例えば、ＩＦＮ固形剤等）を希釈液から分離して安定な状態で保存することもできる。
【００３２】
そして、下方の薬剤収容室３２と薬剤排出口５の間に形成されている空所９により、投与前に原液が薬剤排出口５から不用意に漏れ出るようなトラブルの発生を防止することができる。また、希釈されていない原液を間違って投与するようなトラブルの発生を防止することもできる。
【００３３】
また、たとえ、薬剤が収容された薬剤収容室３２又は薬剤が収容されて連通状態にある薬剤収容室３１，３２におけるシート材１，２の何れか一方の面の１〜２５％の面積に相当する中央付近に対して不用意に押圧力が作用するようなことがあっても、下方の薬剤収容室３２と空所９を仕切っている易開通仕切り部８２は破断されないため、投与前に、薬剤（原液）が漏出するようなトラブルの発生をなくすことができる。
【００３４】
さらに、原液と希釈液を混合した後、バッグ本体６を上部から下部に向けて巻き込んで下方の薬剤収容室３２と空所９とを仕切っている易開通仕切り部８２を全開状態に破断できるため、バッグ本体６を吊るした状態で薬剤を投与した後にバッグ本体内に薬剤を残さないようにすることができる。従って、薬剤の投与量が不足するようなこともなくなる。
【００３５】
上述のように、空所９の容積を比較的に小さく（薬剤の体積の４０％〜２０％以下）設定すれば、バッグ本体６を巻き込んで空所９を仕切る易開通仕切り部８２に対して圧力をかけると、大きな圧力を作用させることができるため、その易開通仕切り部８２を全開状態に確実に破断することができる。
【００３６】
そして、バッグ本体６の上半部が略二等辺三角形状に形成されているため、形状識別性が顕著となり、一見して外観上他と明瞭に識別することができるため、特に、取扱に注意を要する特定の薬剤を収容する場合等に好適となる。また、左右の二等辺部７１，７１が熱溶着されているため、該二等辺部７１，７１の剛性が向上し、バッグ本体６の上部に設けた吊下部４に作用する吊り荷重が、熱溶着により剛性が向上されている二等辺部７１，７１に均等に分散され、強度的に安定な吊持状態が得られる。従って、サイズが大きくなっても、従来のように補助の小孔を別途設ける必要がなく、作業性よく吊持することができ、かつ、安定な吊持状態を得ることができる。また、全体として菱形状の外形としたので、原反ロールから斜めにカットしてシート取りすれば歩留りよくトリミングを行える利点もある。
【００３７】
また、バッグ本体６の上半部を略二等辺三角形状に形成しているため、易開通仕切り部８２を破断する際に、バッグ本体６を巻き込みやすいという利点もある。そして、搬送する際等には、中央の易開通仕切り部８１で２つに折り畳んでコンパクトに包装されるが、上述のように、バッグ本体６の外形が略菱形状に形成されているため、折り畳みやすい利点もある。
【００３８】
図３は別の実施の形態を示す。なお、前実施の形態と同一部材、同等部材については同一符号を付し、その説明を省略する。この点については、その他の実施の形態についても同様である。本実施の形態では、易開通仕切り部８１，８２をそれぞれ二重構造として、上下に間隔をおいて平行に配設した易開通仕切り部８１ａ，８１ｂ及び８２ａ，８２ｂの間に、それぞれ空所９１（９），９２（９）を設けている。このような構成により、その易開通仕切り部８１，８２が不用意に開通してしまうようなトラブルの発生を少なくすることができる。
【００３９】
図４に示す例では、原液等を収容する他の薬剤収容室３２の表裏両面に遮光塗料１５を塗布し、或いは、遮光フィルム１５を貼り付け、光の透過による原液等の変質を防止できるようにしている。遮光フィルム１５をヒートシールして貼り付ける場合、例えば、空所９１，９２の位置にヒートシールすれば、易開通仕切り部８１，８２を誤って再加熱して硬化させてしまうようなことがなく、易開通性を確保することができる。
【００４０】
図５（ａ）（ｂ）に示す例では、空所９には、絞り壁１０，１０を形成していないが、その空所９の容積を、薬剤収容室３１，３２に収容されている薬剤の体積よりも小さく、より好ましくは、薬剤の体積の４０％〜２０％以下に設定すれば、バッグ本体６を巻き込むことによって、前各実施の形態と同様に、易開通仕切り部８２を全開状態に破断することができる。なお、空所９の容積の設定は、易開通仕切り部８２の上下位置を調整することで容易に行うことができる。
【００４１】
図６（ａ）に示す例では、左右の二等辺部７１，７１の下に連なる平行部１４，１４を形成し、それより下部は、下窄まり状に配設された左右の二等辺部７２，７２を有しており、空所９には、絞り壁１０，１０が形成されていないが、空所９は、薬剤排出口５に向けて先窄まり状に形成されている。また、図６（ｂ）に示す例では、左右の二等辺部７１，７１の下に下方まで延びる平行部１４，１４を形成しているが、空所９には、絞り壁１０，１０を形成し、空所９を、薬剤排出口５に向けて先窄まり状に形成している。
【００４２】
本発明は、以上説明した各実施の形態の構成に限定されることなく、発明の要旨を逸脱しない限りにおいて、適宜、必要に応じて、設計変更や改良等は自由であり、また、各実施の形態相互間での構成の組み合わせも自由である。例えば、略三角形状に形成されるバッグ本体６の上半部の斜辺７１，７１は、左右で長さが異なってもよく、また、必ずしも直線状に形成されなくてもよく、湾曲状や波状等であってもよい。さらに、薬剤収容室は３室以上（薬剤収容室３１，３２はそれぞれ複数室）設けられてよく、その場合には、未溶着部１１，１２や易開通仕切り部も３つ以上設けられてよい。
【図面の簡単な説明】
【００４３】
【図１】本発明の実施の形態に係る医療用バッグの正面図である。
【図２】同医療用バッグの断面図である。
【図３】本発明の別の実施の形態に係る医療用バッグの正面図である。
【図４】本発明の異なる実施の形態に係る医療用バッグの正面図である。
【図５】（ａ）（ｂ）は他の実施の形態に係る医療用バッグの正面図である。
【図６】（ａ）（ｂ）は他の実施の形態に係る医療用バッグの正面図である。
【符号の説明】
【００４４】
１，２…シート材、３１，３２…薬剤収容室、４…吊下部、５…薬剤排出口、６…バッグ本体、７１，７２…斜辺、８１，８２…易開通仕切り部、９…空所、１０…絞り壁、１１，１２…未溶着部
【図１】
2006043405.tif 000003
【図２】
2006043405.tif 000004
【図３】
2006043405.tif 000005
【図４】
2006043405.tif 000006
【図５】
2006043405.tif 000007
【図６】
2006043405.tif 000008